(57)【要約】【課題】  大画面表示装置に表示されている画面をオペレータ操作端末装置に表示することができる大画面表示システムを得る。【解決手段】  大画面表示装置１への表示を制御する大画面表示制御装置３と、この大画面表示制御装置３に対するオペレータ操作を行うオペレータ操作端末装置７ａが、ＬＡＮ６によって接続され、オペレータ操作端末装置７ａは、オペレータにより入力された大画面表示装置１で表示中の画面の取得要求を大画面表示制御装置３に送信し、これに応じて大画面表示制御装置３から受け取った大画面表示装置１で表示中の画面データから、オペレータ操作端末ディスプレイ８ａ用の画面を生成して、オペレータ操作端末ディスプレイ８ａに表示するようにした。【選択図】図１
2006244138.tif 000002
【特許請求の範囲】
【請求項１】
大画面表示装置への表示を制御する大画面表示制御装置、及びこの大画面表示制御装置にＬＡＮにより接続されると共に、表示部を有し、上記大画面表示制御装置に対するオペレータ操作を行うオペレータ操作端末装置を備え、
上記大画面表示制御装置は、大画面表示装置の表示画面を生成する表示画面生成手段と、上記オペレータ操作端末装置からの要求に基づき、上記大画面表示装置で表示中の画面から上記オペレータ操作端末装置の表示部に表示可能な画面データを生成する配信画面生成手段と、この配信画面生成手段により生成された画面データを上記オペレータ操作端末装置に配信する配信画面送信手段とを有し、
上記オペレータ操作端末装置は、オペレータによる入力を検出する操作端末入力検出手段と、この操作端末入力検出手段による検出内容に応じて、上記大画面表示装置で表示中の画面から自装置の表示部に表示可能な画面データの取得を要求するリモート画面表示要求手段と、上記配信画面送信手段により送信された画面データから上記表示部に表示する操作端末表示画面を生成する操作端末表示画面生成手段とを有することを特徴とする大画面表示システム。
【請求項２】
上記オペレータ操作端末装置は、上記操作端末入力検出手段により検出された入力が上記表示部に表示された大画面表示装置に表示中の画面の操作である場合に、上記操作内容を上記大画面表示制御装置に送信する操作端末送信手段を有し、
上記大画面表示制御装置は、上記表示画面生成手段により生成される上記大画面表示装置の表示画面に上記オペレータ操作端末装置から送信された上記操作内容を反映させることを特徴とする請求項１記載の大画面表示システム。
【請求項３】
上記オペレータ操作端末装置は、上記操作端末入力検出手段により検出された入力が上記表示部に表示された大画面表示装置に表示中の画面の操作である場合に、上記操作端末送信手段により上記操作内容を上記大画面表示制御装置に送信するかしないかを制御する操作端末制御手段を有することを特徴とする請求項２記載の大画面表示システム。
【請求項４】
上記オペレータ操作端末装置は、インターネットを介して上記ＬＡＮに接続されていることを特徴とする請求項１〜請求項３のいずれかに記載の大画面表示システム。
【請求項５】
複数の上記大画面表示制御装置が有り、上記大画面表示制御装置は、オペレータによる入力により指定された上記大画面表示装置に表示中の画面の画面データを取得することを要求する配信画面要求手段と、上記大画面表示制御装置から送信された画面データを受信する配信画面受信手段とを備え、他の上記大画面表示制御装置からの要求に基づき、対応する大画面表示装置で表示中の画面の画面データを上記配信画面生成手段により生成し、この生成された画面データを要求があった上記大画面表示制御装置に上記配信画面送信手段により配信し、この画面データを上記配信画面受信手段により受信した上記大画面表示制御装置では、上記受信した画面データにより上記表示画面生成手段が対応する大画面表示装置の表示画面を生成することを特徴とする請求項１記載の大画面表示システム。
【請求項６】
上記オペレータ操作端末装置は、上記操作端末入力検出手段により検出された入力が上記表示部に表示された大画面表示装置に表示中の画面の操作である場合に、上記操作内容を上記大画面表示制御装置に送信する操作端末送信手段を有し、
上記大画面表示制御装置は、他の上記大画面表示制御装置から送信された画面データから上記表示画面生成手段により大画面表示装置の表示画面を生成する場合に、画面データを送信した上記大画面表示制御装置に上記オペレータ操作端末装置から送信された上記操作内容を転送するコマンド転送手段を備えたことを特徴とする請求項５記載の大画面表示システム。
【請求項７】
上記オペレータ操作端末装置は、上記操作端末入力検出手段により検出された入力が上記表示部に表示された大画面表示装置に表示中の画面の操作である場合に、上記操作端末送信手段により上記操作内容を上記大画面表示制御装置に送信するかしないかを制御する操作端末制御手段を有することを特徴とする請求項６記載の大画面表示システム。
【請求項８】
上記大画面表示制御装置が接続する複数のＬＡＮを接続するルータを備えたことを特徴とする請求項５記載の大画面表示システム。
【請求項９】
上記大画面表示制御装置が接続する複数のＬＡＮがイントラネットにより接続されることを特徴とする請求項５記載の大画面表示システム。
【発明の詳細な説明】
【技術分野】
【０００１】
この発明は、大画面を利用した監視制御マンマシンシステムにおける協調作業を円滑にする大画面表示システムに関するものである。
【背景技術】
【０００２】
従来の大画面表示装置を用いた監視制御マンマシン装置における協調作業システムは、プラントなどの状態の表示を大画面上で行う大画面表示装置を有し、オペレータからの操作により、移動や消去が可能であり、全体的な監視画面、個々の画面に詳細の画面を表示するような形で、複数の画面を同時に表示することが可能である。また、プラントなどの状態を表示するためのＣＲＴ装置などの表示手段やオペレータからの入力を受けるためのタッチパネルまたはキーボード、マウスなどからなるオペレータ操作端末装置と、オペレータによる大画面上の操作を可能にするリモートカーソル手段とを有している。（特許文献１）
【０００３】
【特許文献１】特開２００１−１９５１２０号公報（段落番号００１０〜００１４、図１）
【発明の開示】
【発明が解決しようとする課題】
【０００４】
従来の大画面表示装置を用いた監視制御マンマシン装置は、以上のように構成されているので、大画面表示装置とパソコン等のオペレータ操作端末装置との画面サイズ等が異なるため、大画面表示装置用の画面をそのままオペレータ操作端末装置用の画面として使用することができず、大画面表示装置用の画面とオペレータ操作端末装置用の画面を別個に製作していた。
また、大画面表示装置には通常のリモート操作機能はなく、リモートカーソル機能を使った大画面表示装置の操作を行うことは可能であるが、大画面表示装置の画面が見えない場所からの操作ができなかった。
【０００５】
この発明は、上述のような課題を解決するためになされたものであり、大画面表示装置に表示されている画面からオペレータ操作端末装置に表示できる画面を作成して、オペレータ操作端末装置に表示することにより、オペレータ操作端末装置側の画面製作を不要とする大画面表示システムを得ることを目的とする。
【課題を解決するための手段】
【０００６】
この発明に係わる大画面表示システムにおいては、大画面表示装置への表示を制御する大画面表示制御装置、及びこの大画面表示制御装置にＬＡＮにより接続されると共に、表示部を有し、大画面表示制御装置に対するオペレータ操作を行うオペレータ操作端末装置を備え、
大画面表示制御装置は、大画面表示装置の表示画面を生成する表示画面生成手段と、オペレータ操作端末装置からの要求に基づき、大画面表示装置で表示中の画面からオペレータ操作端末装置の表示部に表示可能な画面データを生成する配信画面生成手段と、この配信画面生成手段により生成された画面データをオペレータ操作端末装置に配信する配信画面送信手段とを有し、
オペレータ操作端末装置は、オペレータによる入力を検出する操作端末入力検出手段と、この操作端末入力検出手段による検出内容に応じて、大画面表示装置で表示中の画面から自装置の表示部に表示可能な画面データの取得を要求するリモート画面表示要求手段と、配信画面送信手段により送信された画面データから表示部に表示する操作端末表示画面を生成する操作端末表示画面生成手段とを有するものである。
【発明の効果】
【０００７】
この発明は、以上説明したように、大画面表示装置への表示を制御する大画面表示制御装置、及びこの大画面表示制御装置にＬＡＮにより接続されると共に、表示部を有し、大画面表示制御装置に対するオペレータ操作を行うオペレータ操作端末装置を備え、
大画面表示制御装置は、大画面表示装置の表示画面を生成する表示画面生成手段と、オペレータ操作端末装置からの要求に基づき、大画面表示装置で表示中の画面からオペレータ操作端末装置の表示部に表示可能な画面データを生成する配信画面生成手段と、この配信画面生成手段により生成された画面データをオペレータ操作端末装置に配信する配信画面送信手段とを有し、
オペレータ操作端末装置は、オペレータによる入力を検出する操作端末入力検出手段と、この操作端末入力検出手段による検出内容に応じて、大画面表示装置で表示中の画面から自装置の表示部に表示可能な画面データの取得を要求するリモート画面表示要求手段と、配信画面送信手段により送信された画面データから表示部に表示する操作端末表示画面を生成する操作端末表示画面生成手段とを有するので、大画面表示装置で表示中の画面からオペレータ操作端末装置の表示部に表示可能に生成された画面をオペレータ操作端末装置の表示部に表示することができる。
【発明を実施するための最良の形態】
【０００８】
実施の形態１．
以下、この発明の実施の形態１を図１及び図２に基づいて説明する。
図１は、この発明の実施の形態１による大画面表示システムの構成を示すブロック図である。
図１において、大画面表示装置１は、複数のディスプレイ２ａ〜２ｎを併設して構成されている。大画面表示制御装置３は、大画面表示装置１に接続され、大画面表示装置１の表示内容を制御する。操作表示装置４は、大画面表示制御装置３の操作を行う。画面データサーバ５は、大画面表示装置１に表示される画面データを保管する。大画面表示制御装置３とオペレータ操作端末装置７は、ＬＡＮ（ローカルエリアネットワーク）６を介して接続されている。オペレータ操作端末ディスプレイ８（表示部）は、オペレータ操作端末装置７に接続されている。マウス９、キーボード１０などのオペレータ操作端末入力機器は、オペレータ操作端末装置７に付随する。
【０００９】
図２は、この発明の実施の形態１による大画面表示システムの詳細構成を示すブロック図であり、大画面表示制御装置３とオペレータ操作端末装置７を詳細に示したブロック図である。
図２において、マウス９、キーボード１０などのオペレータ操作端末入力機器は、オペレータが大画面表示制御装置３に対して画面データのリモート表示要求を行うのに用いる。
次に、オペレータ操作端末装置７の詳細構成について説明する。
操作端末入力検出手段５１は、オペレータによってマウス９、キーボード１０などのオペレータ操作端末入力機器から入力された起点座標、実幅、実高さ、縮小率などのリモート表示要求を検出する。リモート画面表示要求手段５２は、入力されたリモート表示要求をＬＡＮ６を用いて大画面表示制御装置３へ送信する。配信画面受信手段５３は、大画面表示制御装置３から配信された画面データを受信する。表示画面生成手段５４は、配信画面受信手段５３が受け取った画面データをオペレータ操作端末ディスプレイ８に表示する。
【００１０】
次いで、大画面表示制御装置３の詳細構成について説明する。
コマンド受付手段２１は、ＬＡＮ６に接続され、オペレータ操作端末入力機器から入力されたコマンドを受付ける。コマンド解析手段２２は、コマンド受付手段２１から入力されたコマンドを解析する。操作端末要求管理手段２６は、コマンド操作を記録する。取込み手段２３は、大画面表示装置１に表示する画面データを画面データサーバ５から取込む。表示画面生成手段２４は、画面データを生成し、大画面出力部２５により、表示画面生成手段２４で生成された画面データを出力する。配信画面生成手段２７は、コマンド要求に基づき、オペレータ操作端末ディスプレイ８で表示可能な画面データを生成する。配信画面送信手段２８は、配信画面生成手段２７で生成された配信用画面データをオペレータ操作端末装置７に送信する。
【００１１】
次に、動作について説明する。
大画面表示制御装置３において、オペレータによって操作表示装置４から入力された画面表示要求コマンドを、コマンド受付手段２１により受付け、コマンド解析手段２２により解析し、表示画面生成手段２４にて、画面データ取込み手段２３から得た画面データに画面表示要求コマンド内容を反映させて、大画面出力部２５から大画面表示装置１に画面を出力し、表示させる。
オペレータ操作端末装置７ａにおいて、オペレータによってマウス９ａ、キーボード１０ａなどのオペレータ操作端末入力機器から入力された起点座標、実幅、実高さ、縮小率などのリモート表示要求操作を、操作端末入力検出手段５１で検出する。ここで受付けた操作をリモート画面表示要求手段５２にて解釈し、ＬＡＮ６を経由して大画面表示制御装置３にリモート表示要求コマンドとして送信する。
【００１２】
大画面表示制御装置３において、オペレータ操作端末装置７ａからＬＡＮ６経由で送信されたリモート表示要求コマンドを、コマンド受付手段２１により受付け、コマンド解析手段２２により解析し、リモート表示要求の内容を操作端末要求管理手段２６に保管する。配信画面生成手段２７は、オペレータ操作端末装置７ａからの操作がリモート表示要求である場合、表示画面生成手段２４から取得した現在の画面データを用いて、操作端末要求管理手段２６が保管している要求内容に沿って画面データを生成し、配信画面送信手段２８からＬＡＮ６を経由してオペレータ操作端末装置７ａに送信する。
オペレータ操作端末装置７ａにおいて、大画面表示制御装置３からＬＡＮ６経由で送信された画面データを、配信画面受信手段５３により受付け、操作端末表示画面生成手段５４からオペレータ操作端末ディスプレイ８ａに画面を表示する。
以上のように、この実施の形態１では、図１において大画面表示制御装置３により大画面表示装置１に表示している画面を、オペレータ操作端末装置７から入力された操作に基づいて、縮小化を含めて画面全体もしくは一部をオペレータ操作端末ディスプレイ８に表示することができる。
【００１３】
実施の形態１によれば、大画面表示装置１用に製作された画面データをそのままオペレータ操作端末ディスプレイ８で利用することができるようにしたので、これまでオペレータ操作端末装置３用に製作していた画面データの製作が不要となり、また大画面表示装置１と同じ品質の画面データを持つため、低コストで従来の画面品質を保持した大画面表示システムを提供することができる。
【００１４】
実施の形態２．
この発明の実施の形態２を図１及び図３に基づいて説明する。
図３は、この発明の実施の形態２による大画面表示システムの詳細構成を示すブロック図である。
図３において、１、３、６〜１０、２１〜２８、５１〜５４は図２におけるものと同一のものである。図３では、オペレータ操作端末装置７に、オペレータによって、マウス９、キーボード１０などのオペレータ操作端末入力機器から入力されたオペレータ操作端末ディスプレイ８の画面に対する操作内容を大画面表示制御装置３に送信する操作端末送信手段５５を付加した構成となっている。
この操作端末送信手段５５を付加したことにより、オペレータ操作端末ディスプレイ８の画面操作情報をオペレータ端末装置７からＬＡＮ６を経由して大画面表示制御装置３に送信することが可能となる。
【００１５】
次に、動作について説明する。
先に説明した実施の形態１により、大画面表示装置１の画面がオペレータ操作端末ディスプレイ８に表示されているものとする。
オペレータ操作端末装置７ａにおいて、オペレータによって、マウス９ａ、キーボード１０ａなどのオペレータ操作端末入力機器から入力された画面操作、文字入力などの入力操作を、操作端末入力検出手段５１で検出する。この受付けた操作を操作端末送信手段５５にて解釈し、ＬＡＮ６を経由して大画面表示制御装置３に画面操作コマンドとして送信する。
大画面表示制御装置３からリモート操作の許可が与えられると、操作端末表示画面生成手段５４を通してオペレータ操作端末ディスプレイ８ａの画面に入力操作を反映する。リモート操作の許可が与えられない場合には、オペレータ操作端末ディスプレイ８ａの画面に入力操作は反映されず、処理は終了する。
【００１６】
大画面表示制御装置３において、オペレータ操作端末装置７ａからＬＡＮ６経由で送信された画面操作コマンドを、コマンド受付手段２１により受付け、コマンド解析手段２２により解析し、オペレータ操作端末装置７ａの画面操作内容を操作端末要求管理手段２６に保管し、表示画面生成手段２４にて画面データ取込み手段２３から得た画面データにオペレータ操作端末装置７ａの画面操作内容を反映し、大画面出力部２５から大画面表示装置１に画面を表示する。
配信画面生成手段２７は、オペレータ操作端末装置７ａ以外にも、大画面表示装置１に表示されている画面を表示する状態になっているオペレータ操作端末装置７ｂが存在する場合、表示画面生成手段２４から取得した現在の画面データを用いて、操作端末要求管理手段２６が保管している画面操作内容に沿って画面データを生成し、配信画面送信手段２８からＬＡＮ６を経由してオペレータ操作端末装置７ｂに送信する。
【００１７】
オペレータ操作端末装置７ｂにおいて、大画面表示制御装置３からＬＡＮ６経由で送信された画面データを、配信画面受信手段５３により受付け、操作端末表示画面生成手段５４からオペレータ操作端末ディスプレイ８ｂに画面を表示する。
以上のように、この実施の形態２では、図１においてオペレータ操作端末ディスプレイ８の画面からオペレータによって入力された画面操作、文字入力などの入力操作を、大画面表示装置１の画面や、大画面表示装置１に表示されている画面を表示する状態になっている他のオペレータ操作端末ディスプレイ８の画面に反映することができる。
【００１８】
実施の形態２によれば、オペレータ操作端末ディスプレイの画面操作を、大画面表示装置１の画面や、大画面表示装置１に表示されている画面を表示する状態になっている他のオペレータ操作端末ディスプレイに反映することができるようにしたので、オペレータは身近なオペレータ操作端末装置から大画面表示装置の画面操作ができるとともに、複数のオペレータによる協調操作ができるようになるため、オペレータ操作や作業効率が向上した大画面表示システムを提供することができる。
【００１９】
実施の形態３．
この発明の実施の形態３を図１及び図４に基づいて説明する。
図４は、この発明の実施の形態３による大画面表示システムの詳細構成を示すブロック図である。
図４において、１、３、６〜１０、２１〜２８、５１〜５５は図３におけるものと同一のものである。図４では、オペレータ操作端末装置７に、自装置のリモート操作機能を有効／無効とする操作端末制御手段５６を付加した構成であり、これにより、オペレータ操作端末装置７にオペレータによってオペレータ操作端末入力機器から入力されたオペレータ操作端末ディスプレイ８の画面に対する操作の有効／無効を制御することができる。
この操作端末制御手段５６を付加したことにより、オペレータ操作端末装置７は、実施の形態１で説明したリモート表示機能のみとするか、実施の形態２で説明したリモート操作機能を有効とするかを選択することが可能になる。
【００２０】
次に、動作について説明する。
上述の実施の形態２により、大画面表示装置１の画面がオペレータ操作端末ディスプレイ８に表示されているものとする。
オペレータ操作端末装置７ａにおいて、オペレータによってオペレータ操作端末入力機器から入力された画面操作、文字入力などの入力操作を、操作端末入力検出手段５１で検出する。この受付けた操作を一旦、操作端末制御手段５６に送る。操作端末制御手段５６は、オペレータ操作端末装置７ａのリモート操作機能の有効／無効情報を判定し、設定が有効の場合に限り、入力操作情報を操作端末送信手段５５へ送る。以降の動作は、実施の形態２と同様である。設定が無効の場合には、リモート操作関連の入力操作情報は無視される。
以上のように、この実施の形態３では、図４においてオペレータ操作端末ディスプレイ８ａの画面からオペレータによって入力された画面操作、文字入力などの入力操作を、オペレータ操作端末装置７ａのリモート操作機能の設定に応じて大画面表示装置１の画面や、大画面表示装置１に表示されている画面を表示する状態になっている他のオペレータ操作端末ディスプレイ８ｂの画面に反映することができる。
【００２１】
実施の形態３によれば、オペレータ操作端末装置７のリモート操作機能の設定に応じてオペレータ操作端末ディスプレイ８の画面操作を有効／無効にすることができるようにしたので、柔軟なシステム運用が構築できる大画面表示システムを提供することができる。
【００２２】
実施の形態４．
この発明の実施の形態４を図５及び図６に基づいて説明する。
図５は、この発明の実施の形態４による大画面表示システムの詳細構成を示すブロック図である。
図５において、ＬＡＮ６ａとＬＡＮ６ｂが、ルータ１８により接続されている。
ＬＡＮ６ａには、実施の形態３と同様の構成の、大画面表示装置１ａと大画面表示制御装置３ａと画面データサーバ５ａと操作表示装置４ａとオペレータ操作端末装置７ａとオペレータ操作端末ディスプレイ８ａとマウス９ａ、キーボード１０ａなどのオペレータ操作端末入力機器が接続されている。
同様に、ＬＡＮ６ｂには、大画面表示装置１ｂと大画面表示制御装置３ｂと画面データサーバ５ｂと操作表示装置４ｂとオペレータ操作端末装置７ｂとオペレータ操作端末ディスプレイ８ｂとオペレータ操作端末入力機器が接続されている。
この実施の形態４の構成は、実施の形態３における構成同士がルータ１８によって接続された構成となっており、ここで説明する特有の構成以外の構成については、先に説明した実施の形態３における構成と同様の構成を有し、同様の作用を奏するものである。
なお、図５では、ＬＡＮ６ａとＬＡＮ６ｂが、ルータ１８により接続されているが、このルータは必ずしも必要ではなく、いずれかのＬＡＮに大画面表示制御装置３ａと大画面表示制御装置３ｂとオペレータ操作端末装置７ａとオペレータ操作端末装置７ｂとが接続された構成でも同様の効果が得られる。
【００２３】
図６は、この発明の実施の形態４による大画面表示システムの詳細構成を示すブロック図である。
図６において、２１〜２８は図２におけるものと同一のものである。図６では、他の大画面表示制御装置３に対して画面データの送信要求を行う配信画面要求手段２９と、他の大画面表示制御装置３から送信されてきた画面データを受取る配信画面受信手段３０と、オペレータ操作端末装置７から送信され、コマンド受付手段２１で受け付けた操作内容を他の大画面表示制御装置３に転送するコマンド転送手段３１とを大画面表示制御装置３に設けている。
【００２４】
次に、動作について説明する。
オペレータによって操作表示装置４ｂから入力された画面表示要求コマンドを、大画面表示制御装置３ｂのコマンド受付手段２１により受付け、コマンド解析手段２２により解析し、表示画面生成手段２４に画面データ取込みを指示する。この画面データの取込み先を画面データサーバ５ｂからではなく、大画面表示制御装置３ａからとすることが可能である。
この場合には表示画面生成手段２４は、大画面表示制御装置３ａからの画面データの取込みを配信画面要求手段２９に指示し、配信画面要求手段２９は、大画面表示制御装置３ａに対して画面データ要求を行なう。
【００２５】
大画面表示制御装置３ａにおいて、大画面表示制御装置３ｂからＬＡＮ６ｂ、ルータ１８、ＬＡＮ６ａ経由で送信されたリモート表示要求コマンドを、コマンド受付手段２１により受付け、コマンド解析手段２２により解析し、リモート表示要求の内容を操作端末要求管理手段２６に保管する。配信画面生成手段２７は、大画面表示制御装置３ｂからの操作内容がリモート表示要求である場合、表示画面生成手段２４から取得した現在の画面データを用いて、操作端末要求管理手段２６が保管している要求内容に沿って画面データを生成し、配信画面送信手段２８からＬＡＮ６ａ、ルータ１８、ＬＡＮ６ｂを経由して大画面表示制御装置３ｂに送信する。
【００２６】
大画面表示制御装置３ｂにおいて、大画面表示制御装置３ａから送信された画面データを、配信画面受信手段２９にて受信し、表示画面生成手段２４は、大画面出力部２５から大画面表示装置１ｂに画面を表示する。
これにより、大画面表示制御装置３ａと大画面表示制御装置３ｂとで、同じ画面が表示される。この状態で、実施の形態２及び実施の形態３で説明したリモート操作機能により、いずれかのオペレータ操作端末装置７から画面操作コマンドが大画面表示制御装置３に送られた場合には、大画面表示制御装置３のコマンド受付手段２１で受け付け、コマンド解析手段で解析して、自身の大画面表示装置１の表示にその操作内容を反映させると共に、送られた操作内容をコマンド転送手段３１により他の大画面表示制御装置３に転送することで、二つの大画面表示装置１で同じ画面表示を継続して行うことができる。
以上のように、この実施の形態４では、図５において大画面表示装置１ａが表示している画面を大画面表示装置１ｂに表示することができる。
【００２７】
実施の形態４によれば、同一構内にある大画面表示装置に他の大画面表示装置が表示している画面を表示することができるようにしたので、工場内や事業所内での複数の大画面表示装置間のリモート表示・リモート操作により、画面データの共有化や画面の表示・操作の協調により、柔軟なシステム運用を構築できる大画面表示システムを提供することができる。
【００２８】
実施の形態５．
この発明の実施の形態５を図７に基づいて説明する。
図７は、この発明の実施の形態５による大画面表示システムの詳細構成を示すブロック図である。
図７において、ＬＡＮ６ａと、ＬＡＮ６ｂが、インターネット８２により接続されている。ここで、ＬＡＮ６ａには、図１の１、３、４、５、７ａ、８ａ、９ａ、１０ａが接続され、ＬＡＮ６ｂには、図１の７ｂ〜１０ｂが接続されている。
【００２９】
次に、動作について説明する。
実施の形態３と同様の手段により、オペレータ操作端末装置７ｂから大画面表示装置１に対してＬＡＮ６ｂ、インターネット８２、ＬＡＮ６ａを経由して画面データの要求を行ない、大画面表示装置１から取得した画面をオペレータ操作端末ディスプレイ８ｂに表示する。
さらに、図７において、オペレータ操作端末ディスプレイ８ｂの画面からオペレータによって入力された画面操作、文字入力などの入力操作を、オペレータ操作端末装置７ｂのリモート操作機能の設定に応じて、大画面表示装置１の画面や、大画面表示装置１に表示されている画面を表示する状態になっている他のオペレータ操作端末ディスプレイ８ａの画面に反映することができる。
【００３０】
実施の形態５によれば、同一構内だけでなく、遠隔地にある大画面表示装置の表示画面を手元のオペレータ操作端末ディスプレイに表示することができるとともに、手元のオペレータ操作端末装置の入力操作により遠隔地にある大画面表示装置の画面の操作が可能な大画面表示システムを提供することができる。
【００３１】
実施の形態６．
この発明の実施の形態６を図８に基づいて説明する。
図８は、この発明の実施の形態６による大画面表示システムの詳細構成を示すブロック図である。
図８において、二つのＬＡＮ６ａ、６ｂをイントラネット８１により接続している。
実施の形態６においては、実施の形態４の構成とほぼ同様の構成であるが、２つのＬＡＮの接続方法がルータ１８からイントラネット８１に替わった構成となっている。
【００３２】
次に、動作について説明する。
先に説明した実施の形態４と同様の手段により、大画面表示制御装置３ｂから大画面表示制御装置３ａに対してＬＡＮ６ｂ、イントラネット８１、ＬＡＮ６ａを経由して画面データの要求を行ない、大画面表示制御装置３ａから取得した画面を大画面表示装置１ｂに表示する。
以上のように、この実施の形態６では、図８において、大画面表示装置１ａが表示している画面を大画面表示装置１ｂに表示することができる。さらに、図８において、オペレータ操作端末ディスプレイ８ｂの画面からオペレータによって入力された画面操作、文字入力などの入力操作をオペレータ操作端末装置７ｂのリモート操作機能の設定に応じて、大画面表示装置１ｂの画面や大画面表示装置１ａの画面に反映することができる。
【００３３】
実施の形態６によれば、イントラネット内にある大画面表示装置に他の大画面表示装置が表示している画面を表示することができるようにしたので、工場内や事業所内だけでなく、企業内での複数の大画面表示装置間のリモート表示・リモート操作により、画面データの共有化や画面の表示・操作の協調により、システム運用を柔軟に行なえる大画面表示システムを提供することができる。
【産業上の利用可能性】
【００３４】
この発明は、石油工業・化学工業・鉄鋼工業・電力事業・上下水道管理・河川管理・道路管理・ビル管理・防災システム等の大画面を利用した監視制御マンマシンシステムに適用できる。
【図面の簡単な説明】
【００３５】
【図１】この発明の実施の形態１による大画面表示システムの構成を示すブロック図である。
【図２】この発明の実施の形態１による大画面表示システムの詳細構成を示すブロック図である。
【図３】この発明の実施の形態２による大画面表示システムの詳細構成を示すブロック図である。
【図４】この発明の実施の形態３による大画面表示システムの詳細構成を示すブロック図である。
【図５】この発明の実施の形態４による大画面表示システムの詳細構成を示すブロック図である。
【図６】この発明の実施の形態４による大画面表示システムの詳細構成を示すブロック図である。
【図７】この発明の実施の形態５による大画面表示システムの詳細構成を示すブロック図である。
【図８】この発明の実施の形態６による大画面表示システムの詳細構成を示すブロック図である。
【符号の説明】
【００３６】
１  大画面表示装置、２ａ〜２ｎ  ディスプレイ、３  大画面表示制御装置、
４  操作表示装置、５  画面データサーバ、６  ＬＡＮ、
７  オペレータ操作端末装置、８  オペレータ操作端末ディスプレイ、
９  オペレータ操作端末入力機器（マウス）、
１０  オペレータ操作端末入力機器（キーボード）、１８  ルータ、
２１  コマンド受付手段、２２  コマンド解析手段、
２３  画面データ取込み手段、２４  表示画面生成手段、
２５  大画面出力部、２６  操作端末要求管理手段、
２７  配信画面生成手段、２８  配信画面送信手段、
２９  配信画面要求手段、３０  配信画面受信手段、３１  コマンド転送手段、
５１  操作端末入力検出手段、５２  リモート画面表示要求手段、
５３  配信画面受信手段、５４  操作端末表示画面生成手段、
５５  操作端末送信手段、５６  操作端末制御手段、
８１  イントラネット、８２  インターネット。
【図１】
2006244138.tif 000003
【図２】
2006244138.tif 000004
【図３】
2006244138.tif 000005
【図４】
2006244138.tif 000006
【図５】
2006244138.tif 000007
【図６】
2006244138.tif 000008
【図７】
2006244138.tif 000009
【図８】
2006244138.tif 000010